(57)【要約】【課題】透明フィルムに絵画等をフィルム印刷してなるカタログ等を額装する際に、印刷された絵画、デザイン等を有効に浮き立たせ、これによりフィルム印刷の効果を最大限に引き出すことを可能にしたフレームを提供すること。【解決手段】複数本の長尺状のフレーム材を略多角形状に枠組みして形成される、内周側全域に挿入凹部２０１が形成された枠体２と、挿入凹部２０１内において枠体２の内周側に突設された載置棚部４と、枠体２の一方側の開口を閉鎖した裏板３と、挿入凹部２０１内における、載置棚部４と裏板４間に配設したＬＥＤ７と、載置棚部４における反裏板側の面に周縁部が載置される配置で枠体２の内周側に係止される透光板５と、透光板５における反裏板側の面に重なる配置で、かつ透光板５を介してその周縁部が載置棚部４における反裏板側の面に載置される配置で枠体２の内周側に係止された透明体６と、を具備した。【選択図】図１
0003118783.tif 000002
【実用新案登録請求の範囲】
【請求項１】
複数本の長尺状のフレーム材を略多角形状に枠組みすることにより形成される、内周側全域に挿入凹部（２０１）が形成された枠体（２）と、
前記挿入凹部（２０１）内において前記枠体（２）の内周側に突設された載置棚部（４）と、
前記枠体（２）の一方側の開口を閉鎖する配置で前記枠体（２）に装着された裏板（３）と、
前記挿入凹部（２０１）内における、前記載置棚部（４）と前記裏板（４）間に配設したＬＥＤ（７）と、
前記載置棚部（４）における反裏板側の面に周縁部が載置される配置で前記枠体（２）の内周側に係止される透光板（５）と、を具備したことを特徴とするフレーム。
【請求項２】
複数本の長尺状のフレーム材を略多角形状に枠組みすることにより形成される、内周側全域に挿入凹部（２０１）が形成された枠体（２）と、
前記挿入凹部（２０１）内において前記枠体（２）の内周側に突設された載置棚部（４）と、
前記枠体（２）の一方側の開口を閉鎖する配置で前記枠体（２）に装着された裏板（３）と、
前記挿入凹部（２０１）内における、前記載置棚部（４）と前記裏板（４）間に配設したＬＥＤ（７）と、
前記載置棚部（４）における反裏板側の面に周縁部が載置される配置で前記枠体（２）の内周側に係止される透光板（５）と、
該透光板（５）における反裏板側の面に重なる配置で、かつ前記透光板（５）を介してその周縁部が前記載置棚部（４）における反裏板側の面に載置される配置で前記枠体（２）の内周側に係止された透明体（６）と、を具備したことを特徴とするフレーム。
【考案の詳細な説明】
【技術分野】
【０００１】
本考案はフレームに係り、より詳しくは、枠体を備えるフレームにおいて、枠体内にＬＥＤを装備して、これにより、透明フィルムにフィルム印刷を施した写真、カタログ等を額装する際に、写真、カタログ等の印刷部分をより際だたせることを可能にしたフレームに関する。
【背景技術】
【０００２】
従来から、写真、絵画等を壁等に飾る場合にはフレームが用いられている。即ち、このフレームは、長尺状のフレーム材を多角形状に枠組みすることにより構成された枠体と、この多角形状に枠組みされた枠体内に支持されるとともに、写真、絵画等を挟み込んで支持することが可能な透明体および裏板を備えており、透明体と裏板の間に写真、絵画等を挟み込むことにより、フレームに写真、絵画等を支持し、その後このフレームを壁等に掛けることにより、写真、絵画等を所望する箇所に飾ることを可能としている。
【０００３】
ここで、従来から一般的に用いられているフレームについて図面を参照して説明すると、図４は従来から用いられているフレームの縦断側面を示す図であり、また、図５は従来のフレームの背面図であり、図において３１が従来のフレームである。
【０００４】
そして、この従来から用いられているフレーム３１では、長尺状のフレーム材を、多角形状、より具体的には四角形状に枠組みした枠体３２を備えている。
【０００５】
また、この枠体３２は、裏面における内周側全域に載置棚部３２０１が形成されているとともに、この載置棚部３２０１に周縁部が載置される配置において、前記枠体３２内には、透明体３３が係止されている。
【０００６】
更に、この透明体３３の裏面には、透明体３３とほぼ同一の形状寸法を有する裏板３４が重ね合わされており、この裏板３４は、その裏面において、前記枠体３２の裏面に回動自在に備えた、「トンボ」と呼ばれる係止部材３５によって支持されており、これにより、前記枠体３２内には透明体３３及び裏板３４が、重ね合わされた状態で係止されている。
【０００７】
そして、使用に際しては、透明体３３及び裏板３４によって絵画、写真等３５を挟み込んだ状態において、透明体３３、および裏板３４を前記枠体３２内に係止し、この状態で、フレーム３１を壁等に引っ掛け、これにより写真、絵画等を所望する箇所に装着して飾ることを可能としている。
【０００８】
ところで、近年、透明フィルムに絵画、デザイン、商品広告等をフィルム印刷したカタログ等が提供されており、このようなカタログ等では、背面側から光を照射することにより印刷された絵画、デザイン、商品広告等が鮮やかに浮き上がるが、このようなカタログ等を前述したような従来のフレームに額装した場合には、背面側には不透明な裏板が配置されるために、背面側から光を照射することができず、印刷された絵画、デザイン、商品広告等が鮮やかに浮き上がらせることが困難である。
【０００９】
この点、本考案者は過去において、枠体にＬＥＤ等の発光手段を配置するパネルを提案しており、これを用いれば、枠体に配置したＬＥＤの効果である程度はフィルムに印刷した絵画、デザイン、商品広告等を浮き上がらせることは可能であるが、その場合でも、フィルム印刷の効果を最大限に引き出すことは困難である。
【特許文献１】実用新案登録第３０８２４５４号公報
【考案の開示】
【考案が解決しようとする課題】
【００１０】
そこで、本考案は、特に透明フィルムに絵画、デザイン、商品広告等をフィルム印刷してなるカタログ等を額装する際に、印刷された絵画、デザイン等を有効に浮き立たせ、これによりフィルム印刷の効果を最大限に引き出すことを可能にしたフレームを提供することを課題としている。
【課題を解決するための手段】
【００１１】
請求項１に記載の本考案のフレームは、複数本の長尺状のフレーム材を略多角形状に枠組みすることにより形成される、内周側全域に挿入凹部が形成された枠体と、
該挿入凹部内において前記枠体の内周側に突設された載置棚部と、
前記枠体の一方側の開口を閉鎖する配置で前記枠体に装着された裏板と、
前記挿入凹部内における、前記載置棚部と前記裏板間に配設したＬＥＤと、
前記載置棚部における反裏板側の面に周縁部が載置される配置で前記枠体の内周側に係止される透光板と、を具備したことを特徴としている。
【００１２】
また、請求項２に記載の本考案のフレームは、複数本の長尺状のフレーム材を略多角形状に枠組みすることにより形成される、内周側全域に挿入凹部が形成された枠体と、
該挿入凹部内において前記枠体の内周側に突設された載置棚部と、
前記枠体の一方側の開口を閉鎖する配置で前記枠体に装着された裏板と、
前記挿入凹部内における、前記載置棚部と前記裏板間に配設したＬＥＤと、
前記載置棚部における反裏板側の面に周縁部が載置される配置で前記枠体の内周側に係止される透光板と、
該透光板における反裏板側の面に重なる配置で、かつ前記透光板を介してその周縁部が前記載置棚部における反裏板側の面に載置される配置で前記枠体の内周側に係止された透明体と、を具備したことを特徴としている。
【考案の効果】
【００１３】
本考案のフレームでは、内周側全域に挿入凹部が形成された枠体を用いており、この枠体の一方側の開口を裏板で閉鎖するとともに、挿入凹部内において枠体の内周側に載置棚部を突設している。そして、挿入凹部内における前記載置棚部と前記裏板間にＬＥＤを配設するとともに、前記載置棚部における反裏板側の面にその周縁部が載置される配置で、前記枠体の内周側に透光板を係止している。
【００１４】
そのために、透明フィルムに絵画、デザイン、商品広告等をフィルム印刷してなるカタログ等を透光板上に載置する形態で額装することにより、ＬＥＤによって、カタログ等の背面側から光を照射することができ、印刷された絵画、デザイン等を有効に浮き立たせることが可能となる。
【考案を実施するための最良の形態】
【００１５】
請求項１に記載の本考案のフレームでは、複数本の長尺状のフレーム材を略四角形状に枠組みすることにより形成される枠体を備えており、この枠体における一方側の開口は裏板により閉鎖されている。
【００１６】
また、枠体の内周側全域には挿入凹部が形成されており、この挿入凹部内には、前記枠体の内周側全域において、枠体の内周側に突設された載置棚部が形成されている。
【００１７】
そして、前記挿入凹部内において、前記載置棚部と前記裏板間にはＬＥＤが配設されており、更に、前記載置棚部における反裏板側の面に周縁部が載置される配置で、前記枠体の内周側には透光板が係止されている。
【００１８】
次に、請求項２に記載の本考案のフレームでは、請求項１に記載の本考案のフレームと同様に、複数本の長尺状のフレーム材を略四角形状に枠組みすることにより形成される枠体を備えるとともに、この枠体における一方側の開口は裏板により閉鎖され、枠体の内周側全域には挿入凹部が形成され、この挿入凹部内には、前記枠体の内周側全域において、枠体の内周側に突設された載置棚部が形成されている。
【００１９】
また、前記挿入凹部内において、前記載置棚部と前記裏板間にはＬＥＤが配設されており、更に、前記載置棚部における反裏板側の面に周縁部が載置される配置で、前記枠体の内周側には透光板が係止されている。
【００２０】
そして、この透光板における反裏板側の面に重なる配置で、かつ前記透光板を介してその周縁部が前記載置棚部における反裏板側の面に載置される配置で、前記枠体の内周側には、透明体が係止されている。
【実施例１】
【００２１】
本考案のフレームの実施例について図面を参照して説明すると、図１は、本実施例のフレームの正面図であり、また、図２は図１におけるＡ−Ａ線断面図、図３は図１におけるＢ−Ｂ線断面図であり、図において１が本実施例のフレームである。
【００２２】
そして、本実施例のフレーム１では、略長方形の外形とした枠体２を備えており、この枠体２は、アルミ製の長尺状の４本のフレーム材を枠組みすることにより構成している。
【００２３】
ここで、前記枠体２について説明すると、図２及び図３において、前記枠体２は、その内周側全域に挿入凹部２０１が形成されている。即ち、本実施例においては、長手方向に向いた断面形状が略コ字形状としたフレーム材を用いて、このフレーム材を、略コ字形状における開口側が内周側になる配置で略長方形状に枠組みすることにより枠体２を構成している。そして、これにより、前記枠体２は、その内周側全域には挿入凹部２０１が形成され、更に、前面側及び背面側には開口２０２ａ、２０２ｂが形成されている。
【００２４】
次に、図において３は裏板である。即ち、本実施例のフレーム１では、前記枠体２における背面側に、背面側の開口２０２ｂを閉鎖可能な配置で、アルミ製の裏板３を、接着、溶着等により装着している。
【００２５】
また、前記挿入凹部２０１内は、前記枠体２の内周側全域において、前記枠体２の内周側に向けて、アルミ製の載置棚部４を突設している。
【００２６】
そして、前記挿入凹部２０１内において、前記載置棚部４と前記裏板４間には、複数個のＬＥＤ７を、その先端が枠体２の内周側に向くような配置で配列している。そしてこれにより、ＬＥＤ７に電源を供給することにより、ＬＥＤ７よりの光が枠体２の内周側に照射されるようにしている。
【００２７】
なお、本実施例においては、挿入凹部２０１における枠体２の長手方向を形成する部分の双方にＬＥＤ７を配設しているが、挿入凹部２０１における枠体２の長手方向を形成する部分の一方にのみＬＥＤ７を配設してもよく、あるいは、挿入凹部２０１における枠体２の短い方向を形成する部分の双方又は一方にＬＥＤ７を配設してもよい。
【００２８】
また、本実施例において前記枠体２、裏板３及び載置棚部４はアルミ製としているが、必ずしもアルミ製にする必要はなく、光が漏れない素材であればいずれの素材を用いてもよく、例えば、その他の金属製、木製でもよい。
【００２９】
次に、図２乃至図３において、５は透光板である。即ち、本実施例のフレーム１では、前記挿入凹部２０１内における、反裏板側開口２０２ａと前記ＬＥＤ７間に、光を透過可能な素材で形成した透光板５を介在させている。
【００３０】
この透光板５について説明すると、本実施例において前記透光板５は、光を透過可能な乳白色のアクリル製の平板を用いて、これを、その周縁部が前記載置棚部４に載置可能な寸法にして形成している。そして、この透光板５の周縁部を前記載置棚部４における反裏板側の面に載置しており、これにより、前記挿入凹部２０１内において、反裏板側開口２０２ａと前記ＬＥＤ７間に、ＬＥＤ７よりの光を透過可能な透光板５を配設している。
【００３１】
従って、本実施例のフレーム１によれば、透明フィルムに絵画、デザイン、商品広告等をフィルム印刷してなるカタログ等を透光板５上に載置した状態でＬＥＤ７に電源を供給すると、ＬＥＤ７よりの光が透光板５を透過しつつカタログ等を背面側から照らし、これにより、透明フィルムに印刷された絵画、デザイン等を有効に浮き立たせることが可能となる。
【００３２】
なお、透光板５の素材は必ずしもアクリル製には限定されず、光を透過可能な素材であればいずれの素材を用いてもよい。
【００３３】
次に、図１乃至図３において６は透明体である。即ち、本実施例のフレーム１では、前記透光板５における反裏板側の面に透明体６を配設しており、透光板５と透明体６でカタログ等を挟持可能としている。そして、本実施例において前記透明体６は、その周縁部が前記載置棚部４における反裏板側の面に載置可能な形状寸法としており、具体的には前記透光板５の外形寸法とほぼ同様の外形寸法としており、これにより、透光板５とともにカタログ等を挟持した状態で、挿入凹部２０１内に係止可能としている。
【００３４】
従って、本実施例のフレーム１においては、透光板５上に載置したカタログ等を背面側から照らすことが可能であるとともに、このカタログ等が落下することを有効に防止することが可能である。但し、この透明体６は必ずしも必要なものではなく、透明体６を用いなくてもよい。また、透明体６を用いる場合において透明体６の素材は特に限定されず、透明体６と透光板５で挟持したカタログ等を目視可能であればよい。
【００３５】
次に、このように構成される本実施例のフレーム１の作用について説明すると、図１において８は、前記ＬＥＤ７に接続されたリード線であり、このリード線８を介して前記ＬＥＤ７に電源を供給するとともに、透明フィルムに絵画、デザイン、商品広告等をフィルム印刷してなるカタログ等を前記透光板５と透明体６とで挟持すると、ＬＥＤ７よりの光が透光板５を透過しつつカタログ等を背面側から照らし、これにより、透明フィルムに印刷された絵画、デザイン等を有効に浮き立たせることが可能となる。
【００３６】
また、カタログ等は透光板５と透明体６とで挟持しているために、フレーム１に外部から衝撃等が加わった場合でも、カタログ等が落下することを防止可能である。
【００３７】
このように、本実施例のフレームを用いることにより、透明フィルムに絵画、デザイン、商品広告等をフィルム印刷してなるカタログ等を額装した場合に、透明フィルムに印刷された絵画、デザイン等を有効に浮き立たせることが可能となる。
【産業上の利用可能性】
【００３８】
本考案のフレームでは、透明フィルムに絵画、デザイン、商品広告等をフィルム印刷してなるカタログ等を額装した場合に、透明フィルムに印刷された絵画、デザイン等を有効に浮き立たせることを可能にしているため、透明フィルムを用いたカタログ等を額装する可能性のあるフレームの全般に適用可能である。
【図面の簡単な説明】
【００３９】
【図１】本考案のフレームの実施例の正面図である。
【図２】図１におけるＡ−Ａ線断面図である。
【図３】図１におけるＢ−Ｂ線断面図である。
【図４】従来のフレームを説明するための図である。
【図５】従来のフレームを説明するための図である。
【符号の説明】
【００４０】
１    フレーム
２    枠体
２０１    挿入凹部
２０２ａ、２０２ｂ    枠体の開口
３    裏板
４    載置棚部
５    透光板
６    透明体
７    ＬＥＤ
８    リード線
【図１】
0003118783.tif 000003
【図２】
0003118783.tif 000004
【図３】
0003118783.tif 000005
【図４】
0003118783.tif 000006
【図５】
0003118783.tif 000007